(57)【要約】【課題】多層ディスクの再生時に生じる再生信号のＤＣオフセットを低減する再生信号特性を有する光ディスク装置を提供する。【解決手段】複数の情報記録層を有する光ディスクを再生するために用いる光ディスク装置において、レーザ光を光ディスク（２０５）に照射するレーザ光源（２０１）と、光ディスクで反射されたレーザ光を集光する集光レンズ（２０３）と、集光レンズが集光したレーザ光が照射される主受光領域（１０６ａ，１０６ｂ）と、主受光領域に隣接して配置される補助受光領域（１０６ｃ，１０６ｄ）と、主受光領域の出力と、補助受光領域の出力と、の差を情報記録層に記録された情報を表す再生信号として出力する信号処理部（１１）とを備える。【選択図】図１
2006286077.tif 000002
【特許請求の範囲】
【請求項１】
複数の情報記録層を有する光ディスクを再生するために用いる光ディスク装置において、
レーザ光を前記光ディスクに照射するレーザ光源と、
前記光ディスクで反射されたレーザ光を集光する集光レンズと、
前記集光レンズが集光した前記レーザ光が照射される主受光部と、
前記主受光領域に隣接して配置される補助受光部と、
前記主受光部の出力と、前記補助受光部の出力と、の差を前記情報記録層に記録された情報を表す再生信号として出力する信号処理部と、
を備えることを特徴とする光ディスク装置。
【請求項２】
複数の情報記録層を有する光ディスクを再生するために用いる光ディスク装置において、
レーザ光を前記光ディスクに照射するレーザ光源と、
前記光ディスクで反射されたレーザ光を集光する集光レンズと、
互いに隣接して配置され前記集光レンズが集光した前記レーザ光が照射される第１の主受光部および第２の主受光部と、
前記第１の主受光部の、前記第２の主受光部と隣接している側とは反対側に隣接して配置される第１の補助受光部と、
前記第２の主受光部の、前記第１の主受光部と隣接している側とは反対側に隣接して配置される第２の補助受光部と、
前記第１の主受光部および前記第２の主受光部の出力の和と前記第１の補助受光部および前記第２の補助受光部の出力の和との差から再生信号を生成し、前記第１の主受光部と前記第２の補助受光部の出力の和および前記第２の主受光部と前記第２の補助受光部の出力の和との差から焦点誤差信号を生成する信号処理部と、
を備えることを特徴とする光ディスク装置。
【請求項３】
前記第１の補助受光部および前記第２の補助受光部の出力の和を増幅する増幅器を備え、
前記信号処理部は、前記第１の主受光部および前記第２の主受光部の出力の和と前記増幅器の出力との差から再生信号を生成することを特徴とする請求項２記載の光ディスク装置。
【請求項４】
複数の情報記録層を有する光ディスクを再生するために用いる光ディスク装置において、
レーザ光を前記光ディスクに照射するレーザ光源と、
前記光ディスクで反射されたレーザ光を集光する集光レンズと、
互いに隣接して配置され前記集光レンズが集光した前記レーザ光が照射される第１の主受光部および第２の主受光部と、
前記第１の主受光部の、前記第２の主受光部と隣接している側とは反対側に隣接して配置される第１の補助受光部と、
前記第２の主受光部の、前記第１の主受光部と隣接している側とは反対側に隣接して配置される第２の補助受光部と、
互いに隣接して配置され前記レーザ光が照射される第３の主受光部および第４の主受光部と、
前記第３の主受光部の、前記第４の主受光部と隣接している側とは反対側に隣接して配置される第３の補助受光部と、
前記第４の主受光部の、前記第３の主受光部と隣接している側とは反対側に隣接して配置される第４の補助受光部と、
前記第１の主受光部および前記第２の主受光部および前記第３の主受光部および前記第４の主受光部の出力の和と前記第１の補助受光部および前記第２の補助受光部および前記第３の補助受光部および前記第４の補助受光部の出力の和との差から再生信号を生成し、前記第１の主受光部および前記第２の補助受光部および前記第３の主受光部および前記第４の補助受光部の出力の和と前記第１の補助受光部および前記第２の主受光部と前記第３の補助受光部および前記第４の主受光部の出力の和との差から焦点誤差信号を生成する信号処理部と、
を備えることを特徴とする光ディスク装置。
【請求項５】
前記レーザ光源から出射されたレーザ光を前記光ディスクに収束する対物レンズと、
前記光ディスクから反射されたレーザ光を各受光部に分岐する回析素子と、
前記対物レンズと前記回折素子とを一体駆動する手段と、を有することを特徴とする請求項４記載の光ディスク装置。
【請求項６】
前記光ディスクから反射されたレーザ光を各受光部に分岐する回析素子と、トラッキング用受光部とを更に有し、
前記回析素子は、ディスクラジアル方向の分割線で分割される２つの分割部とディスクのランド・グルーブによる±１次光を反映した分割曲線によって分割される４つの分割部を有し、前記回折素子の前記２つの部により回折される２光束は前記主受光部及び前記補助受光部に導かれたとき、前記信号処理部は、前記主受光部の出力をＳａ、Ｓｂ、Ｓｃ、Ｓｄとし、前記補助受光部の出力をＳｅ、Ｓｆ、Ｓｇ、Ｓｈとし、Ｇ１と利得としてダブルナイフエッジ法＝Ｓａ＋Ｓｄ＋Ｓｆ＋Ｓｇ−Ｇ１・（Ｓｂ＋Ｓｃ＋Ｓｅ＋Ｓｈ）により焦点誤差信号を生成し、前記回折素子の前記４つの部で回折される４光束はトラッキング受光部に導かれたとき、前記信号処理部はＳｆ，Ｓｅを前記第３及び第４の主受光部の出力信号として、プッシュプル法＝Ｓｉ＋Ｓｊ−（Ｓｋ＋Ｓｌ）によるトラッキング誤差信号を生成する、請求項４記載の光ディスク装置。
【請求項７】
複数の情報記録層を有する光ディスクを再生する光ディスク再生方法において、
レーザ光を前記光ディスクに照射するステップと、
前記光ディスクで反射されたレーザ光を集光するステップと、
前記集光レンズにより集光した前記反射レーザ光を主受光部と前記主受光部に隣接して配置される補助受光部に照射するステップと、
前記主受光部の出力と、前記補助受光部の出力と、の差を前記情報記録層に記録された情報を表す再生信号として出力するステップと、
を有することを特徴とする光ディスク再生方法。
【請求項８】
複数の情報記録層を有する光ディスクを再生する光ディスク方法において、
レーザ光を前記光ディスクに照射するステップと、
前記光ディスクで反射されたレーザ光を集光するステップと、
互いに隣接して配置される第１の主受光部及び第２の主受光部並びに前記第２の主受光部と隣接している前記第１の主受光部の側とは反対側に隣接して配置される第１の補助受光部及び前記第１の主受光部と隣接している前記第２の主受光部の側とは反対側に隣接して配置される第２の補助受光部に集光した前記反射レーザ光を照射するステップと、
前記第１の主受光部および前記第２の主受光部の出力の和と前記第１の補助受光部および前記第２の補助受光部の出力の和との差から再生信号を生成するステップと、
前記第１の主受光部と前記第２の補助受光部の出力の和および前記第２の主受光部と前記第１の補助受光部の出力の和との差から焦点誤差信号を生成するステップと、
を有することを特徴とする光ディスク再生方法。
【請求項９】
Ｓａ，Ｓｂを前記第１及び第２の主受光部の出力信号とし、Ｓｃ、Ｓｄを前記第１及び第２の補助受光部の出力信号とし、Ｇ１，Ｇ２を増幅器の利得としたとき、シングルナイフエッジ法＝Ｓｂ＋Ｇ１・Ｓｃ−（Ｓａ＋Ｇ２・Ｓｄ）により前記焦点誤差信号を検出し、Ｓｆ，Ｓｅを前記第３及び第４の主受光部の出力信号としたとき、プッシュプル法＝Ｓｆ−Ｓｅによりトラッキング誤差信号を生成することを特徴とする請求項８記載の光ディスク再生方法。
【請求項１０】
複数の情報記録層を有する光ディスクを再生する光ディスク再生方法において、
レーザ光を前記光ディスクに照射するステップと、
前記光ディスクで反射されたレーザ光を集光するステップと、
互いに隣接して配置された第１の主受光部および第２の主受光部と、前記第２の主受光部と隣接している前記第１の主受光部の側とは反対側に隣接して配置される第１の補助受光部と、前記第１の主受光部と隣接している前記第２の主受光部の側とは反対側に隣接して配置される第２の補助受光部と、互いに隣接して配置された第３の主受光部および第４の主受光部と、前記第４の主受光部と隣接している前記第３の主受光部の側とは反対側に隣接して配置される第３の補助受光部と、前記第３の主受光部と隣接している前記第４の主受光部の側とは反対側に隣接して配置される第４の補助受光部とに集光した前記反射レーザ光を照射するステップと、
前記第１の主受光部および前記第２の主受光部および前記第３の主受光部および前記第４の主受光部の出力の和と前記第１の補助受光部および前記第２の補助受光部および前記第３の補助受光部および前記第４の補助受光部の出力の和との差から再生信号を生成するステップと、
前記第１の主受光部および前記第２の補助受光部および前記第３の主受光部および前記第４の補助受光部の出力の和と前記第１の補助受光部および前記第２の主受光部と前記第３の補助受光部および前記第４の主受光部の出力の和との差から焦点誤差信号を生成するステップと、
を有することを特徴とする光ディスク再生方法。
【請求項１１】
前記光ディスクから反射されたレーザ光を各受光部に分岐する回析素子と、トラッキング用受光部とを更に有し、
前記回析素子は、ディスクラジアル方向の分割線で分割される２つの分割部とディスクのランド・グルーブによる±１次光を反映した分割曲線によって分割される４つの分割部を有し、前記回折素子の前記２つの部により回折される２光束は前記主受光部及び前記補助受光部に導かれたとき、前記信号処理部は、前記主受光部の出力をＳａ、Ｓｂ、Ｓｃ、Ｓｄとし、前記補助受光部の出力をＳｅ、Ｓｆ、Ｓｇ、Ｓｈとし、Ｇ１と利得としてダブルナイフエッジ法＝Ｓａ＋Ｓｄ＋Ｓｆ＋Ｓｇ−Ｇ１・（Ｓｂ＋Ｓｃ＋Ｓｅ＋Ｓｈ）により焦点誤差信号を生成し、前記回折素子の前記４つの部で回折される４光束はトラッキング受光部に導かれたとき、前記信号処理部はＳｆ，Ｓｅを前記第３及び第４の主受光部の出力信号として、プッシュプル法＝Ｓｉ＋Ｓｊ−（Ｓｋ＋Ｓｌ）によるトラッキング誤差信号を生成する、請求項１０記載の光ディスク再生方法。
【請求項１２】
前記光ディスクから反射されたレーザ光を各受光部に分岐する回析素子と、トラッキング用受光部とを更に有し、
前記回析素子は、ディスクラジアル方向の分割線で分割される２つの分割部とディスクのランド・グルーブによる±１次光を反映した分割曲線によって分割される４つの分割部を有し、前記回折素子の前記２つの部により回折される２光束は前記主受光部及び前記補助受光部に導かれたとき、前記主受光部の出力をさ、Ｓｂ、Ｓｃ、Ｓｄとし、前記補助受光部の出力をせ、Ｓｆ、Ｓｇ、Ｓｈとし、Ｇ１と利得としてダブルナイフエッジ法＝Ｓａ＋Ｓｄ＋Ｓｆ＋Ｓｇ−Ｇ１・（Ｓｂ＋Ｓｃ＋Ｓｅ＋Ｓｈ）により焦点誤差信号を生成し、前記回折素子の前記４つの部で回折される４光束はトラッキング受光部に導かれたとき、Ｓｆ，Ｓｅを前記第３及び第４の主受光部の出力信号として、ＤＰＤ法＝ｐｈａｓｅ（Ｓｆ）−ｐｈａｓｅ（Ｓｅ）によるトラッキング誤差信号を生成する、請求項１０記載の光ディスク再生方法。
【発明の詳細な説明】
【技術分野】
【０００１】
本発明は、レーザ光を用いて情報の再生を行う光ディスク装置、特に２層の情報記録層を有する光ディスクを再生する際、再生していない層で反射した光が光検出器へ漏れ込むことが原因で生じるＤＣオフセットを低減する光ディスク装置及び光ディスク再生方法に関する。
【背景技術】
【０００２】
現在流布しているＤＶＤ（Digital Versatile Disc）の３〜４倍の記録容量を有する次世代高密度光ディスクの開発が各種進められている。その中で、既存のＣＤ（Compact Disc）、ＤＶＤとの互換性、薄型ノートパソコン用小型光ヘッド装置の製造容易性、安価なディスク製造コスト等の観点から、波長４００ｎｍ帯青紫色半導体レーザと、基板厚０．６ｍｍに最適化された開口数０．６５の対物レンズを用いる光ディスク（以下、ＨＤ  ＤＶＤ）の開発が進められている。このＨＤ  ＤＶＤでは記録情報量増大を目的として、ＤＶＤ同様に、２層ディスクの開発も進められている。
【０００３】
２層ディスクでは、層間クロストークに起因してサーボ信号、再生信号にＤＣオフセットが生じる問題がある。つまり、片方の情報記録層を再生中に、他方の情報記録層（以下、非再生層）で反射した不所望な光が光検出器に漏れ込んでサーボ信号、再生信号に重畳されＤＣオフセットが生じる問題である。
【０００４】
このように再生信号に生じるＤＣオフセットは、とりわけ書換型の２層光ディスクにおいて顕著に発生する。特に、非再生層の一部に集中的にデータが書き込まれた領域がある場合、再生層を再生中にビームが非再生層のデータ領域（記録領域）を通過する際、反射率が大きく変化し、そのため再生信号にＤＣオフセットが発生する。これは再生信号の特性劣化を招くので問題となる。
【０００５】
層間クロストークにより生じる焦点誤差信号のＤＣオフセットの低減には、特許文献１に記載されている低減方法が有効である。特許文献１に記載されている光学系、及び受光面構成と焦点誤差信号演算方法の一例は、大きくデフォーカスした時に主受光領域からはみ出す光を検出する補助受光領域を設けている。
【０００６】
再生信号は全受光領域からの出力信号の和信号として生成している。デフォーカス時に主受光領域からはみ出す光を補助受光領域で検出して差し引いているが、これは大きくデフォーカスした時の焦点誤差信号の立下りを急峻にする効果がある。そのため、２層ディスクにおける焦点誤差信号は、他層からの影響が小さくなり、合焦位置におけるＤＣオフセットが低減されている。
【０００７】
ところで、２層ＤＶＤでは情報記録層上のビームスポットの波面収差を許容値以下に抑えるために２層の層間厚を５５μｍ±１５μｍと規定しているが、同様な基準をＨＤ  ＤＶＤに適用すると、２層の層間厚は２５μｍ程度と小さくなる。これは、基板厚誤差に対して発生する波面収差が、概ね対物レンズ開口数の４乗に比例し、レーザ波長に反比例するためである。
【０００８】
上述のようにＨＤ  ＤＶＤでは２層の層間厚が小さくなってしまうため、ＤＶＤと比較して層間クロストークの影響が顕著になり、そのため、ＤＶＤの場合以上に層間クロストーク対策を織り込んだシステム設計が必要となる。
【特許文献１】特開平９−１６１２８２号公報
【発明の開示】
【発明が解決しようとする課題】
【０００９】
上述したようにＨＤ  ＤＶＤでは２層の層間厚がＤＶＤと比較して小さく、そのため層間クロストークのサーボ信号、再生信号に対する影響は顕著になる。焦点誤差信号に発生するＤＣオフセットは特許文献１に記載の方法により低減可能であるが、２層ディスク再生時に再生信号に発生するＤＣオフセットについても低減対策を講じる必要がある。
【００１０】
本発明は、上記事情を鑑みてなされたもので、２層ディスク再生時に層間クロストークのために生じる再生信号のＤＣオフセットを低減して、良好な再生信号特性を有する光ディスク装置を提供することを目的とする。
【課題を解決するための手段】
【００１１】
本発明は、複数の情報記録層を有する光ディスクを再生するために用いる光ディスク装置において、レーザ光を前記光ディスクに照射するレーザ光源と、前記光ディスクで反射されたレーザ光を集光する集光レンズと、前記集光レンズが集光した前記レーザ光が照射される主受光部と、前記主受光部に隣接して配置される補助受光部と、前記主受光部の出力と、前記補助受光部の出力と、の差を前記情報記録層に記録された情報を表す再生信号として出力する信号処理部とを備えることを特徴とする光ディスク装置を提供する。
【００１２】
また本発明は、複数の情報記録層を有する光ディスクを再生する光ディスク再生方法において、レーザ光を前記光ディスクに照射するステップと、前記光ディスクで反射されたレーザ光を集光するステップと、前記集光レンズにより集光した前記反射レーザ光を主受光部と前記主受光部に隣接して配置される補助受光部に照射するステップと、前記主受光部の出力と、前記補助受光部の出力と、の差を前記情報記録層に記録された情報を表す再生信号として出力するステップとを有することを特徴とする光ディスク再生方法を提供する。
【発明の効果】
【００１３】
本発明によれば、層間クロストークの影響で再生信号に生じるＤＣオフセットを低減して、良好な再生信号特性を有する信頼性の高い光ディスク装置を実現できる。
【発明を実施するための最良の形態】
【００１４】
以下、本発明の実施の形態について、図面を参照して詳細に説明する。
【００１５】
（第１実施形態）
第１の実施形態の光学系および再生信号出力系を図１に示す。これによると、半導体レーザ２０１を出射したレーザ光は回折素子２０２で回折され、その０次光がコリメータレンズ２０３で平行光束に変換され、対物レンズ２０４により光ディスク２０５の情報記録層に収束照射される。情報記録層で反射された光は往路を逆に進み、対物レンズ２０４で平行光束に変換された後、コリメータレンズ２０３で収束光に変換され、回折素子２０２に入射される。回折素子２０２は３分割領域２０２ａ〜２０２ｃから構成されており、領域２０２ａと２０２ｂ、２０２ｃは光ディスクの半径方向であるディスクラジアル方向の分割線で分割されている。また、領域２０２ｂと２０２ｃは光ディスク２０５の接線方向であるディスクタンジェンシャル方向の分割線で分割されている。
【００１６】
回析素子分割領域２０２ａで回折された光は、受光領域１０６ａ〜１０６ｆを有する光検出器１０６の受光領域１０６ａ、１０６ｂに導かれてシングルナイフエッジ法による焦点誤差信号に利用される。この焦点誤差信号に基づいて、図示しない対物レンズ駆動機構は対物レンズ２０４を光軸方向に位置決めする。
【００１７】
また、回析素子分割領域２０２ｂ、２０２ｃで回折された光はそれぞれ受光領域の１０６ｆ、１０６ｅに導かれてプッシュプル法あるいはＤＰＤ（Differential Phase Detection）法によるトラッキング誤差信号に利用される。このトラッキング誤差信号に基づいて、図示しないトラッキング機構は対物レンズ２０４をディスクラジアル方向に位置決めする。
【００１８】
図１に示した光検出器１０６の受光領域１０６ａ〜１０６ｆは出力信号Ｓａ、Ｓｂ、Ｓｃ、Ｓｄ、Ｓｅ、Ｓｆをそれぞれ出力する。信号Ｓａ，Ｓｂ，Ｓｅ，Ｓｆは信号処理部としての演算増幅器１１の非反転入力端子に供給され、信号Ｓｃ、Ｓｄは反転入力端子に入力される。これにより、再生信号（ＨＦＳ）は下式（１）に従って再生される。この再生信号は光ディスク２０５に記録された情報を示す信号である。
【００１９】
ＨＦＳ＝Ｓａ＋Ｓｂ＋Ｓｅ＋Ｓｆ−（Ｓｃ＋Ｓｄ）            （１）
層間クロストークによる焦点誤差信号のＤＣオフセット低減のために設けた補助受光領域１０６ｃ、１０６ｄからの信号Ｓｃ、Ｓｄの和信号を、その他の受光領域１０６ａ，１０６ｂ，１０６ｅ、１０６ｆからの和信号から演算増幅器（信号処理部）１１により差動演算することによって再生信号が生成される。なお、シングルナイフエッジ法による焦点誤差信号とプッシュプル法あるいはＤＰＤ法によるトラッキング誤差信号の生成方法は図４および次式（２）、（（３）、（４）の通りである。
【００２０】
ＦＥＳ（シングルナイフエッジ法）＝Sb+G1・Sc-(Sa+G2・Sd)        （２）
ＴＥＳ（プッシュプル法）＝Ｓｆ−Ｓｅ                          （３）
ＴＥＳ（ＤＰＤ法）＝ｐｈａｓｅ（Ｓｆ）−ｐｈａｓｅ（Ｓｅ）    （４）
ここで図４において、増幅器１３は式（２）のＧ１に対応し、増幅率Ｇ１で信号Ｓｃを増幅する。増幅器１４は式（２）のＧ２に対応し、増幅率Ｇ２で信号Ｓｃを増幅する。トラッキング誤差信号の生成方法は、光ディスクが例えばＤＶＤ−ＲＡＭであればプッシュプル法、ＤＶＤ−ＲＯＭであればＤＰＤ法、が用いられる。
【００２１】
受光領域１０６ａ〜１０６ｆは焦点誤差信号生成とトラッキング誤差信号生成に必要な受光領域であり、再生信号に生じるＤＣオフセット低減用に新たに受光領域が設けられておらず極めて簡単な構成となっている。
【００２２】
次に、上記演算方法の効果を説明する。第０情報記録層（再生層）に合焦時、再生層で反射した光の光検出器面上でのビームプロファイルと、第１情報記録層（非再生層）で反射した不所望の光の光検出器面上でのビームプロファイルを図２（ａ）に示す。また、逆に第１情報記録層に合焦した場合の光検出器面上のビームプロファイルを図２（ｂ）に示す。いずれの場合も非再生層からの不所望な光は主受光領域１０６ａ、１０６ｂと補助受光領域１０６ｃ、１０６ｄに渡って広がっていることが判る。従って、式（１）に示したように、主受光領域１０６ａ、１０６ｂの信号と補助受光領域１０６ｃ、１０６ｄの信号の差動演算により再生信号を生成すれば、不所望な漏れ込み光の影響を低減できることが判る。
【００２３】
また、単層ディスクを再生する場合は、補助受光領域１０６ｃ、１０６ｄに光は漏れ込まないために補助受光領域１０６ｃ、１０６ｄからの出力信号は零であり、式（１）によって再生信号を生成してもよい。
【００２４】
以上説明したように本発明の方法によれば、２層ディスクにおいて焦点誤差信号・再生信号で生じるＤＣオフセットを効果的に低減することができる。
【００２５】
また、図３に示す再生信号出力系ように、光検出器１０６の後に増幅器１２を設け、信号のレベル調整をして層間クロストークの低減効果を高める構成がより好ましい。この場合の再生信号（ＨＦＳ）の演算方法は下式（５）の通りである。
【００２６】
ＨＦＳ＝Ｓａ＋Ｓｂ＋Ｓｅ＋Ｓｆ−Ｇ・（Ｓｃ＋Ｓｄ）      （５）
なお、上式においてＧは増幅器１２の所定のゲインを表す。
【００２７】
（第２実施例）
第１実施形態では焦点誤差検出法としてシングルナイフエッジ法とした実施形態を示したが、この検出法に限られるわけではない。図５に焦点誤差検出法をダブルナイフエッジ法とした第２実施形態の光学系を示す。第１実施形態とは、回折素子の分割構成、光検出器の受光面構成が異なる。図示したように、回折素子１４０１は６分割領域で構成され、また、光検出器１４０２の受光面は１２領域から構成される。回折素子１４０１と光検出器１４０２の詳細は図６に示されている。
【００２８】
図６に示されるように回折素子１４０１は、ディスクラジアル方向の分割線１５０１とディスクのランド・グルーブによる±１次光を反映した分割曲線１５０２、１５０３によって６領域１４０１ａ〜１４０１ｆに分割されている。また、光検出器１４０２は焦点誤差検出用の主受光領域１４０２ａ〜１４０２ｄと、補助受光領域１４０２ｅ〜１４０２ｈと、トラッキング誤差検出用の受光領域１４０２ｉ〜１４０２ｌで構成されている。
【００２９】
回折素子の領域１４０１ａと１４０１ｂで回折した２光束は図示したように受光領域１４０２ａ〜１４０２ｈに導かれてダブルナイフエッジ法による焦点誤差信号生成に利用される。また、回折素子の領域１４０１ｃ〜１４０１ｆで回折した４光束は図示したように受光領域１４０２ｉ〜１４０２ｌに導かれてプッシュプル法、あるいはＤＰＤ法によるトラッキング誤差信号生成に利用される。また、全受光領域からの出力信号は再生信号生成に利用される。
【００３０】
図７にデフォーカス時の、再生層からの光（信号光）のビームパターンが示される。図７（ａ）、（ｂ）、（ｃ）はそれぞれディスクが合焦位置から遠い場合、合焦位置の場合、ディスクが合焦位置より近い場合の光検出器上ビームプロファイルを示す。受光領域１４０２ａ〜１４０２ｌからの出力信号をそれぞれＳａ〜Ｓｌとすれば、焦点誤差信号（ＦＥＳ）は例えば図８に示すブロック図のように下式（６）に従って生成される。
【００３１】
ＦＥＳ（ダブルナイフエッジ法）＝Sa+Sd+Sf+Sg-G1・(Sb+Sc+Se+Sh)      （６）
ここでＧ１は増幅器１２の所定のゲインを表す。また、プッシュプル法、あるいはＤＰＤ法によるトラッキング誤差信号（ＴＥＳ）はそれぞれ下式（７）（８）で生成される。
【００３２】
ＴＥＳ（プッシュプル法）＝Si+Sj-(Sk+Sl)              （７）
ＴＥＳ（ＤＰＤ法）＝phase(Si+Sk)-phase(Sj+Sl)        （８）
また、本発明の特徴である再生信号（ＨＦＳ）の生成法は下式（９）の通りである。
【００３３】
ＨＦＳ＝Sa+Sb+Sc+Sd+Si+Sj+Sk+Sl-G2・(Se+Sf+Sg+Sh)      （９）
ここでＧ２は増幅器１２の所定のゲインを表す。第１の実施形態と同様に、層間クロストークを低減する本発明の再生信号生成方法は、焦点誤差信号、トラッキング誤差信号生成用の受光領域を利用しているのみで、新たに受光面を設ける必要がないことが特徴であり、簡単な構成で実現できる。
【００３４】
再生信号生成法の効果を説明するために、図９に非再生層から光検出器に入射する不所望な漏れ込み光のビームパターンを示す。第０情報記録層（再生層）に合焦時、再生層で反射した光の光検出器面上でのビームプロファイルと第１情報記録層（非再生層）で反射した不所望の光の光検出器面上でのビームプロファイルが図９（ａ）に示される。また、逆に第１情報記録層に合焦した場合の光検出器面上のビームプロファイルが図９（ｂ）に示される。いずれの場合も非再生層からの不所望な光は主受光領域１４０２ａ〜１４０２ｄと補助受光領域１４０２ｅ、１４０２ｈに渡って広がっていることが判る。従って、式（９）に示したように、主受光領域１４０２ａ〜１４０２ｄの信号と補助受光領域１４０２ｅ、１４０２ｈの信号の差動演算により再生信号を生成すれば、不所望な漏れ込み光の影響を低減できることが判る。また、単層ディスク再生時は、補助受光領域１４０２ｅ〜１４０２ｈに漏れこむ光はないために、その出力信号は零であり全く問題ない。
【００３５】
（第３実施例）
本発明の第３実施形態の光学系を図１０に示す。第１、第２実施形態との一番の相違は、サーボ信号・再生信号生成用の回折素子１８０５，１／４波長板１８０６を対物レンズ１８０７と一体として駆動する構成である。半導体レーザ１８０１から出射した直線偏光のレーザ光はコリメータレンズ１８０２で平行光束に変換され、偏光ビームスプリッタ１８０３を透過し、立上げミラー１８０４で反射される。その後、対物レンズ１８０７と一体駆動する１／４波長板１８０５と分割型回折素子１８０６に入射する。１／４波長板１８０５で直線偏光から円偏光に変換され、対物レンズ１８０７により光ディスク１８０８の情報記録層に収束照射される。その後、情報記録層で反射されたレーザ光は往路では逆の経路を辿り、対物レンズ１８０７で平行光束に変換され、分割型回折素子１８０６で回折される。回折光は１／４波長板１８０５で円偏光から往路の時とは直交する直線偏光に変換され、偏光ビームスプリッタ１８０３で反射される。その後、集光レンズ１８１０で収束光とされ、サーボ信号・再生信号生成用の光検出器１８１１に入射される。
【００３６】
分割型回折素子の分割形状は、第１、第２実施形態で示した形状でも良いがここでは異なる５分割型回折素子を図１１に示す。回折素子領域１８０６ａで回折された光は受光領域１８１１ａ〜１８１１ｄに導かれ、シングルナイフエッジ法による焦点誤差信号生成に利用される。回折素子領域１８０６ｂ〜１８０６ｅで回折された光はそれぞれ受光領域１８１１ｅ〜１８１１ｈに導かれ、補償プッシュプル法、ＤＰＤ法によるトラッキング誤差信号生成に利用される。受光領域１８１１ａ〜１８１１ｈからの出力信号をそれぞれＳａ、Ｓｂ、Ｓｃ、Ｓｄ、Ｓｅ、Ｓｆ、Ｓｇ、Ｓｈとすれば、シングルナイフエッジ法による焦点誤差信号（ＦＥＳ）、補償プッシュプル法あるいはＤＰＤ法によるトラッキング誤差信号（ＴＥＳ）、再生信号（ＨＦＳ）は図１２に示すブロック図のように下式（１０）、（１１）、（１２）で与えられる。補償プッシュプル法は対物レンズのラジアルシフトで生じるトラッキング誤差信号のオフセットを低減する方式である。原理の詳細は東芝レビューＶｏｌ．５７  Ｎｏ．７  ｐ３２−ｐ３４（２００２）に記載されているのでここでは説明を割愛する。
【００３７】
ＦＥＳ（ナイフエッジ法）＝Sb+G1・Sc-(Sa+G2・Sd)      （１０）
ＴＥＳ（補償プッシュプル法）＝Se-Sh-G3・(Sf-Sg)      （１１）
ＴＥＳ（ＤＰＤ法）＝phase(Se+Sf)-phase(Sg+Sh)      （１２）
ＨＦＳ（再生信号）＝Sa+Sb+Se+Sf+Sg+Sh-G4・(Sc+Sd)            （１３）
第０情報記録層（再生層）に合焦時、再生層で反射した光の光検出器面上でのビームプロファイルと第１情報記録層（非再生層）で反射した不所望の光の光検出器面上でのビームプロファイルを図１３（ａ）に示す。また、逆に第１情報記録層に合焦した場合の光検出器面上のビームプロファイルを図１３（ｂ）に示す。非再生層からの不所望な光は主受光領域１８１１ａ〜１８１１ｂと補助受光領域１８１１ｅ、１８１１ｈに渡って広がるため、（１３）によって再生信号を生成することで、第１、第２実施形態と同様に、層間クロストークに起因するＤＣオフセットを低減できる。これによって、２層再生時、良好な再生信号特性を有する光ディスク装置を実現できる。
【００３８】
なお、本発明は上述した実施形態に限定されるものではなく、この他その要旨を逸脱しない範囲で種々変形して実施することができる。
【図面の簡単な説明】
【００３９】
【図１】第１実施形態の光学系を示す図。
【図２】再生層と非再生層からの反射光の光検出器面上ビームプロファイルを示す図。
【図３】再生信号演算に関するブロック図。
【図４】第１実施形態の再生信号演算および焦点誤差信号演算に関するブロック図。
【図５】第２実施形態の光学系を示す図。
【図６】第２実施形態に係る６分割回折素子と１２分割光検出器を示す図。
【図７】デフォーカス時の光検出器上ビームプロファイルを示す図。
【図８】第２実施形態の再生信号演算および焦点誤差信号演算に関するブロック図。
【図９】再生層と非再生層からの反射光の光検出器面上ビームプロファイルを示す図。
【図１０】第３実施形態の光学系を示す図。
【図１１】対物レンズ一体駆動型の分割型回折素子を示す図。
【図１２】第３実施形態の再生信号演算および焦点誤差信号演算に関するブロック図。
【図１３】デフォーカス時の光検出器上ビームプロファイルを示す図。
【符号の説明】
【００４０】
１０６ａ〜１０６ｆ…光検出器受光面、２０１…半導体レーザ、２０２…回折素子、２０３…コリメータレンズ、２０４…対物レンズ、２０５…光ディスク、２０６ａ〜２０６ｄ…光検出器受光面、５０１…再生層、５０２…非再生層、５０３…再生層上のビーム、５０４…非再生層上のビーム、５０５…再生層上のビームの軌跡、５０６…非再生層上のビームの軌跡、５０７…集中的データが書き込まれた領域、１２０１…再生層からの光、１２０２…非再生層からの光、１４０１…６分割回折素子、１４０１ａ〜１４０１ｆ…回折素子の分割領域、１４０２…１２分割光検出器、１４０２ａ〜１４０２ｌ…光検出器受光領域、１５０１、１５０２、１５０３…回折素子の分割線、分割曲線、１８０１…半導体レーザ、１８０２…コリメータレンズ、１８０３…偏光ビームスプリッタ、１８０４…立上げミラー、１８０５…５分割回折素子、１８０６…１／４波長板、１８０７…対物レンズ、１８０８…光ディスク、１８０９…スピンドルモータ、１８１０…集光レンズ、１８０１…８分割光検出器
【図１】
2006286077.tif 000003
【図２】
2006286077.tif 000004
【図３】
2006286077.tif 000005
【図４】
2006286077.tif 000006
【図５】
2006286077.tif 000007
【図６】
2006286077.tif 000008
【図７】
2006286077.tif 000009
【図８】
2006286077.tif 000010
【図９】
2006286077.tif 000011
【図１０】
2006286077.tif 000012
【図１１】
2006286077.tif 000013
【図１２】
2006286077.tif 000014
【図１３】
2006286077.tif 000015